(57)【要約】【課題】レンズの表面と裏面との凹凸形状が類似した撮影レンズの表裏を目視で容易に判別できるようすることで、効率よくカメラまたはレンズ付きフイルムユニットなどのレンズホルダに組み込める撮影レンズを提供する。【解決手段】射出成形によって成形される撮影レンズである第２レンズ４５の外周縁にゲート跡５１が形成される。このゲート跡５１とレンズ中心とを通る線分に関して左右非対称となるレンズ表面又は裏面のいずれか一方の外周部にシボ５２を射出成形時に形成する。ゲート跡５１を基準にして、シボ５２の位置を確認することで、第２レンズ４５の表裏を判別することができる。【選択図】図５
2004205697.tif 000002
【特許請求の範囲】
【請求項１】
外周縁にゲート跡が残るように射出成形され、レンズの表面と裏面との凹凸形状が類似したレンズにおいて、
レンズの表面または裏面のいずれか一方の外周部であって、前記ゲート跡とレンズの中心とを通る線分に関して左右非対称となる位置にマークが一体に形成されていることを特徴とするレンズ。
【請求項２】
前記ゲート跡がレンズの外周縁の一部を直線的に成形したＤカット部に残されていることを特徴とする請求項１記載のレンズ。
【請求項３】
前記マークは、レンズ面を取り囲むリング状の平面の一部に形成された粗面であることを特徴とする請求行１または２記載のレンズ。
【発明の詳細な説明】
【０００１】
【発明の属する技術分野】
本発明は、撮影レンズに関し、さらに詳しくは、レンズホルダに表裏を間違えることなく組み込むことのできる撮影レンズに関するものである。
【０００２】
【従来の技術】
カメラやレンズ付きフイルムユニットなどのレンズホルダに組み込まれる撮影レンズには両凸レンズや両凹レンズなどレンズの表面と裏面の凹凸形状が類似しているものがある。このようにレンズの表面と裏面の凹凸形状が類似した撮影レンズをレンズホルダに手組みで組み込むとき、撮影レンズの表裏が目視で識別しにくいため誤って組み込んでしまうことがあった。
【０００３】
撮影レンズをレンズホルダに正しく組み込むために、撮影レンズ、レンズホルダ、レンズ押さえからなるレンズユニットを用いた。このレンズユニットは、撮影レンズがレンズホルダに正しく組み込まれている場合には、撮影レンズがレンズ押さえに押さえられてレンズホルダにしっかりと嵌め込まれ、撮影レンズの表面と裏面とが誤ってレンズホルダに組み込まれているときには、撮影レンズをレンズホルダに嵌め込むことができなかった。（例えば特許文献１参照）
【０００４】
【特許文献１】
特開２０００−１３５７２９号公報
【０００５】
【発明が解決しようとする課題】
撮影レンズをレンズホルダに組み込んでから、撮影レンズが表裏を間違えることなく正しく組み込まれているか判別する方法では、撮影レンズを正しく組み込めたか判別できるまでにいくつかの工程が必要なため、効率のよい撮影レンズの組み込み方法ではなかった。
【０００６】
本発明は、撮影レンズの表裏を目視で容易に判別できるようすることで、効率よくカメラまたはレンズ付きフイルムユニットなどのレンズホルダに組み込める撮影レンズを提供することを目的とする。
【０００７】
【課題を解決するための手段】
射出成形によって成形される撮影レンズの外周縁には、ゲート跡が形成される。また、撮影レンズの表面または裏面のいずれか一方の外周部に、前記ゲート跡とレンズの中心とを通る線分に関して左右非対称となる位置にマークを一体に形成する。ゲート跡を基準にして、マークの位置を確認することで、撮影レンズの表裏を判別できるようにする。
【０００８】
【発明の実施の形態】
図１に示すように、レンズ付きフイルムユニット２は、ユニット本体３と、このユニット本体３の外周に巻き付けられる外装ラベル４からなる。ユニット本体３の前面には、撮影レンズ５、ファインダ６が設けられている。ユニット本体３の上部には、シャッタボタン８、フイルムカウンタ９が設けられ、背部には巻き上げノブ１０の一部が外部に露呈されている。
【０００９】
図２に示すように、ユニット本体３は、本体基部１３、露光ユニット１４、カートリッジ本体１５、写真フイルム１６とこれらを覆う前カバー１７、後カバー１８から構成されている。本体基部１３は、写真フイルム１６の露光範囲を決定する露光枠１９と、カートリッジ本体１５を収納するカートリッジ収納室２０と、このカートリッジ収納室２０から引き出され、ロール状に巻かれた写真フイルム１６を収納する写真フイルム収納室２１とで構成される。また、カートリッジ収納室２０の上部には、巻き上げノブ１０が取り付けられる。
【００１０】
図３に示すように、露光ユニット１４の前面には、シャッタカバー２５が取りつけられている。シャッタカバー２５には、固定絞り開口４２が形成されており、この固定絞り開口４２の周囲には、撮影レンズ５を収納する円筒状のレンズホルダ４３がシャッタカバー２５と一体に設けられている。
【００１１】
図４は、レンズホルダ内部の様子を示す断面図である。撮影レンズ５は、それぞれプラスチックを射出成形して作られた第１レンズ４４、第２レンズ４５から構成され、その間には、第１レンズ４４と第２レンズ４５との間隔を調整するために円環状のスペーサ４６が設けられており、これらはレンズホルダ４３の内部に収納されている。第１レンズ４４には、物体面が凸面となるメニスカスレンズが用いられている。第２レンズ４５には、レンズの表面、裏面の凹凸形状が類似した両凸レンズが用いられている。また、レンズホルダ４３の前面には、レンズ押さえ４７が取り付けられている。レンズ押さえ４７は、第１レンズ４４の外周部を押さえつけており、撮影レンズ５はシャッタカバー２５とレンズ押さえ４７との間に挟み込まれて保持される。
【００１２】
射出成形によって成形された第２レンズ４５の外周縁には、図５に示すように、外周縁の一部が直線状に成形されたＤカット部５０と、樹脂液を金型内に流し込むためのゲート部によって形成されたゲート跡５１がある。Ｄカット部５０が成形されていることで、ゲート跡５１が形成された第２レンズ４５を円筒状のレンズホルダ４３に組み込むことができる。ゲート跡５１は、第２レンズ４５をレンズホルダ４３に組み込むために成形時よりも小さくカットされている。また、第２レンズ４５表面の外周部に、金型によってレンズ面を取り囲むリング状の平面の一部を粗面化したシボ５２がマークとして形成される。Ｄカット部５０、ゲート跡５１、シボ５２は目視で確認することができる。また、第２レンズ４５表面には、スペーサ４６と接するスペーサ受け５４が形成されている。
【００１３】
次に上記実施形態の作用について説明する。レンズホルダ４３にレンズの表面と裏面の凹凸形状が類似した第２レンズ４５を組み込むとき、ゲート跡５１とシボ５２とを目印にして、ゲート跡５１を下に向けたとき左側にシボ５２が存在する面がレンズの表面であるというようにゲート跡５１を基準にしてシボ５２の位置を確認することで、目視によって第２レンズ４５の表裏を判別することができる。
【００１４】
第２レンズ４５の裏面がシャッタカバー２５と接するようにレンズホルダ４３に収納することで、第２レンズ４５の表裏を間違うことなく組み込める。レンズホルダ４３に第２レンズ４５を組み込んだとき、スペーサ受け５４とスペーサ４６とが接するので、レンズ表面に形成されたシボ５２はレンズの組込みの邪魔にはなることはない。よって、本発明を実施した第２レンズ４５をレンズホルダ４３に組込んでも歪みが生じることがない。
【００１５】
上記実施例では、第２レンズ４５にシボ５２が形成されていたが、シボ５２の代わりに凸形状などでマークを形成してもよい。マークを凸形状で形成する場合には、レンズホルダ４３に第２レンズ４５を組み込んだときに、凸形状がスペーサ４６と接することがないように形成しなけばならない。また、マークは上記実施例の位置だけでなく、レンズの表面または裏面のいずれか一方の外周部に、ゲート跡５１とレンズの中心とを通る線分に関して左右非対称となる位置に一体に形成されていればよい。
【００１６】
本発明を実施した撮影レンズは、目視によるレンズの表裏の判別ができるだけではなく、粗面を検知することのできるセンサを使用してレンズの表裏の判別を行なうこともできる。
【００１７】
上記実施例では、本発明の撮影レンズを組み込むレンズホルダはレンズ付きフイルムユニット２のレンズホルダであったが、カメラやデジタルカメラ付き携帯電話機など撮影機能を備えた様々な撮影装置のレンズホルダに撮影レンズを組み込むときにも本発明を適用することができる。
【００１８】
【発明の効果】
以上のように、レンズの表面と裏面の凹凸形状が類似した撮影レンズの表面または裏面のいずれか一方の外周部にマークを形成することで、目視によって、撮影レンズの表裏を容易に判別できるようにした。これによって、レンズ付きフイルムユニットなど様々な撮影装置のレンズホルダに撮影レンズの表裏を誤って組み込むことがなくなる。また、撮影レンズを効率よくレンズホルダに組み込むことができる。
【図面の簡単な説明】
【図１】レンズ付きフイルムユニットの外観を示す斜視図である。
【図２】レンズ付きフイルムユニットの内部構造を示す斜視図である。
【図３】レンズ付きフイルムユニットの露光制御機構を示す斜視図である。
【図４】レンズホルダ内部の様子を示す断面図である。
【図５】本発明を実施した第２レンズを示す外観斜視図である。
【符号の説明】
２  レンズ付きフイルムユニット
５  撮影レンズ
１４  露光ユニット
４３  レンズホルダ
４４  第１レンズ
４５  第２レンズ
５０  Ｄカット部
５１  ゲート跡
５２  シボ
５４  スペーサ受け
【図１】
2004205697.tif 000003
【図２】
2004205697.tif 000004
【図３】
2004205697.tif 000005
【図４】
2004205697.tif 000006
【図５】
2004205697.tif 000007